(57)【要約】【課題】眼鏡フレームの材質、表面処理の品質、各部分のサイズ、ブランド名等のあらゆる情報を知ることができるようにする。【解決手段】眼鏡フレームの一部、たとえばテンプルに取り付けるモダンの内部に非接触式ＩＣチップおよび外部アンテナからなるインレットを埋設し、ＩＣチップに書き込んだ各種の情報を読み取り機で読み取るようにした。【選択図】図３
2007248520.tif 000002
【特許請求の範囲】
【請求項１】
眼鏡フレームの一部、または眼鏡フレームの部品の一部に種々な情報を書き込んだ非接触式ＩＣチップおよび外部アンテナからなるインレットを埋設して、該非接触式ＩＣチップに記載した情報を読み取るようにしたことを特徴とするＩＣチップを有する眼鏡フレーム。
【請求項２】
前記非接触式ＩＣチップおよび外部アンテナからなるインレットは、眼鏡フレームのテンプルに被嵌するモダンに埋設されている請求項１記載のＩＣチップを有する眼鏡フレーム。
【請求項３】
前記非接触式ＩＣチップに、書き込み可能領域と、読み出し専用領域とを設定した請求項１、２に記載のＩＣチップを有する眼鏡フレーム。
【発明の詳細な説明】
【技術分野】
【０００１】
この発明は眼鏡フレームにおけるその品質、ブランド、サイズ等をデザイナー、生産者、流通業者から消費者にいたるまでの種々の情報を管理可能な非接触式ＩＣチップを眼鏡フレームに埋設することにより各種情報や公明な流通を可能とすることができるＩＣチップを有する眼鏡フレームに関するものである。
【背景技術】
【０００２】
一般に眼鏡フレームにあっては、生産者から流通業者を介して消費者にいたるまで、そのファッション性も関係して知らせなければならない情報はかなり多いものである。たとえば、眼鏡フレームの材質、その表面処理の品質、眼鏡フレームの各部分のサイズ、ブランド名、生産者名などである。特に、原産地の表示は大切である。そして、従来は、これらの情報は眼鏡フレーム本体に刻印すること、あるいはタグを吊り下げることによってしか伝達することができなかった。そして、刻印が一般的であり、刻印の場合は、刻印幅の大きさは眼鏡フレームの特性から０．５〜２．０ｍｍというかなり小さいものであった。
【０００３】
したがって、一般的には眼鏡フレームの消費者は、上記のような細かくて読み難い刻印の情報を頼りに購入品を決定しており、これは眼鏡フレームの消費者にとって極めて不都合なことである。
【０００４】
この問題を解消するために最も一般的に行われていることは、小売店において店員が口頭やカタログで説明を行うことであるが、店員の口頭による説明では全てのことを説明し得ない場合や、仮に店員が全てを説明したとしても消費者が覚えていられないことが多い。したがって、結果的にはその眼鏡フレームに関する僅かな情報しか有効的に活用されないものであった。
【０００５】
しかしながら、この発明は、従来全く存在しなかった非接触式ＩＣチップを眼鏡フレームの構成部品の一部に埋設し、ＩＣチップの改ざんを防止するとともに、外部からＩＣチップを読み取って眼鏡フレームに関する多くの情報を知ることができ、しかもＩＣチップ自体が眼鏡フレームに埋設されているので形状に影響を与えることがない全く新規な発明である。
【発明の開示】
【発明が解決しようとする課題】
【０００６】
この発明は、眼鏡フレームに対して消費者が知りたいあらゆる情報、たとえば、材質、表面処理の品質、各部分のサイズ、ブランド名、メーカー名、原産地等のあらゆる情報を眼鏡フレームに埋設した非接触式ＩＣチップに書き込み、この内容を読み取って、あるいはＩＣチップに予め書き込まれた識別番号に紐付けされサーバ上で管理された詳細情報を読み取って、瞬時にその眼鏡フレームの製造からブランド名までのすべての情報を知ることができるようにすることを目的とする。したがって、消費者に対しては結果的には、たとえば、あるブランド名のタグが付されていてもそのブランド名の眼鏡フレームが本物のブランド品か否かも知ることができる。しかも、非接触式ＩＣタグは眼鏡フレームに埋設されているので眼鏡フレームのデザインに影響を及ぼす恐れは全く無い。
【課題を解決するための手段】
【０００７】
この発明は、眼鏡フレームの一部に、種々な情報を書き込んだ非接触式ＩＣチップを埋設し、該ＩＣチップに記載した情報を読み取るようにした手段を採用した。
そして、前記非接触式ＩＣチップは、眼鏡フレームのテンプルに被嵌するモダンに埋設され、前記ＩＣチップに記載した情報は読み取り機で読み取れるようにし、さらに、前記非接触式ＩＣチップに、書き込み可能部と書き込み不可能部とを設定した手段を採用したものである。
【発明の効果】
【０００８】
この発明による眼鏡フレームにあっては、その一部に非接触式ＩＣチップが付されているので、この非接触式ＩＣチップにメーカーが示したい所定の内容を書き込み情報として書き込める機能を有し、さらに、卸商、小売商、消費者等の情報も書き込み可能な機能を有しているので、眼鏡フレームのすべての情報の公正さが保証され、消費者、流通業者、生産者の効率化が促進されて真の消費者保護が実現する。
【０００９】
また、ＩＣチップは非接触式であるので外部から見えない部位に埋設することができるので眼鏡フレームのデザイン性、ファッション性を阻害する恐れはない。
そして、非接触式ＩＣチップを眼鏡フレームの一部に埋設させたことで、情報の改ざんなど不公正なこともできなくなり、ＩＣチップ自体の損傷やＩＣチップの取り替え等を防止することができる。
【００１０】
そして、ＩＣチップが付された眼鏡フレームは、消費者の積極的な購買意欲を起こし、また流通業者の商品選択幅を拡げて商品管理の効率化、消費者に対してのサービスも実現することができる。製造業者は、その者の技術を公正で品位の高い商品に付加して消費者に届けることができる。さらに、眼鏡フレームにおけるブランドの保持、公正な価格決定にも寄与することができるという効果を有している。
【発明を実施するための最良の形態】
【００１１】
眼鏡フレームにおいて、眼鏡フレーム本体に種々の情報を書き込んだ非接触式ＩＣチップを埋設することで、このＩＣチップに書き込んだ情報をいつでも取り出すことができて眼鏡フレームのすべての情報を瞬時に得ることができる。
【実施例】
【００１２】
以下、図面に示すこの発明の実施の形態について説明する。
図１にはこの発明による眼鏡フレームの実施の形態が示されていて、この眼鏡フレーム１はブリッジ２を介して連結された左右一対のリム３、３と、この左右一対のリム３、３の外側にそれぞれ取り付けられた鎧４、４と、両鎧４、４にそれぞれ開閉方向に回動可能に連結されたテンプル５、５とを有しており、テンプル５、５の端部には図２に示すようなモダン６、６がそれぞれ被嵌している。
【００１３】
なお、８、８は両リム３、３の内側に取り付けられた脚７、７に取り付けられて使用者の鼻の両側で保持するためのノーズパッド、９、９は両リム３、３によって保持されているレンズである。
【００１４】
上記のような眼鏡フレーム１の両テンプル５、５およびこのテンプル５、５に被嵌するモダン６、６は図２〜図５に示すように構成されており、図２はモダンを示す図、図３は組み合わされた状態を示す図、図４は図３のＡ−Ａ線に沿って見た図、図５は図３のＢ−Ｂ線に沿って見た図である。モダン６、６は中央部に端部が細くなっているテンプル５、５の端部が差し込み可能であるように、端部が狭くなっている孔１０が設けられ、この孔１０内にテンプル５、５の端部を差し込んで取り付け、これによりモダン６、６が使用者の耳部に接触するようになっている。
なお、テンプルとモダンの形状、取付け方法は上記に限定されたものではない。
【００１５】
前記モダン６にはその内部に外部アンテナ１５と、ＩＣチップ１６とで構成されたインレット１７が埋設されており、インレット１７の全体の長さはモダン６の長さよりも非常に短くなっている。言い換えれば、インレット１７の全体の長さよりもモダン６の方が遙に長く形成されているので、モダン６の外面からインレット１７が全く表出しないようになっている。したがって、図４および図５から明らかなように、モダン６の内部に外部アンテナ１５とＩＣチップ１６とからなるインレット１７が埋設されている。
【００１６】
上記のようにモダン６にＩＣチップ１６を埋設し、しかもＩＣチップ１６には外部アンテナ１５が設けられているので、ＩＣチップ１６に記載された情報は非接触で外部から読み取ることができる。
【００１７】
すなわち、この発明は、あらゆる分野で拡大する情報を非接触式ＩＣチップで対応しようとするものである。今まで、眼鏡フレームにおいては、そのサイズ、ファッション性のためにＩＣ化搭載は不可能と思われていた。しかし、情報の拡大、商品のグローバル化、消費者の自己責任などによりＩＣ化は必要な技術となってきた。
【００１８】
まず、ＩＣ化で大きな問題であるＩＣチップの小型化は日立製作所製のミューチップという名称のＩＣチップで達成できた。すなわち、使用するＩＣチップ１６は０．４ｍｍ角の大きさでありメモリ容量１２８ｂｉｔ（１０進法で３８桁）で書き換え不可能なＩＤを持つ無線自動認識ＩＣチップ（日立製作所製でミューチップという名称）である。
また、上記ＩＣチップ１６と外部アンテナ１５とで構成されるインレット１７とは、タグを作るための部品であり、外部アンテナ１５のサイズは最小３ｍｍ×２．５ｍｍで、最大厚さは０．２５ｍｍである。
なお、上記ＩＣチップ（ミューチップ）は書き換え禁止領域（読み出し専用領域）に予め書き込まれた識別番号のみを有していて、偽造、改ざん、コピーの防止に大きな威力を発揮できて、高セキュリティを実現でき、商品の真正性判別、信頼性の確保および管理効率アップなどに有効である。
【００１９】
眼鏡フレームはその形状が無限であり、あらゆる部品のサイズが小さいが、本発明に使用しているＩＣチップ１６および外部アンテナ１５からなるインレット１７を殆どの眼鏡部品にも埋設することができて、殆どの眼鏡部品の管理を行うこともできる。
【００２０】
なお、前記実施の形態としてモダンにＩＣチップおよび外部アンテナからなるインレットを埋設した場合について説明したが、これに限定することなく、たとえば、表面に複数層のコーティングを行って色彩を出したテンプルであっても内部に本発明に使用したＩＣチップおよび外部アンテナからなるインレットを埋設することが可能であり、埋設箇所は問わないものである。
【図面の簡単な説明】
【００２１】
【図１】この発明による眼鏡フレームを斜めから見た状態を示す概略図である。
【図２】モダンを示す概略図である。
【図３】テンプルとモダンとの連結状態を示す概略図である。
【図４】図３のＡ−Ａ線に沿って見た概略図である。
【図５】図３のＢ−Ｂ線に沿って見た概略図である。
【符号の説明】
【００２２】
１  眼鏡フレーム
２  ブリッジ
３  リム
４  鎧
５  テンプル
６  モダン
７  脚
８  ノーズパッド
９  レンズ
１０  孔
１５  外部アンテナ
１６  ＩＣチップ
１７  インレット
【図１】
2007248520.tif 000003
【図２】
2007248520.tif 000004
【図３】
2007248520.tif 000005
【図４】
2007248520.tif 000006
【図５】
2007248520.tif 000007